(57)【要約】      （修正有）【課題】追加で充填された薬液を患者に供給してくれる薬液注入装置に関し、定量の薬液を充填した状態のみで注入されるようにして、この時注入された定量の薬液が持続的に患者に供給されるようにした薬液注入器を提供する。【解決手段】薬液供給装置は、シリンダー４０内側へ流入される薬液によってピストン４１が決まった高さ程度に上昇しながら定量の薬液を充填しているようにする定量充填部と、ピストンの上で下方向に係止されているボタン５２を設置して、ボタンが上昇するピストンと密着されている時のみに下方向に押されながらシリンダー内側に充填されている定量の薬液を排出する制動ボタン部と、制動ボタン部によって排出された定量の薬液を収容しながら膨張された弾性チューブ６２が元の状態に復元されようとする力によって定量の薬液を持続的に外部に排出しようとする持続注入部を含んでなされる。【選択図】図３
2017077449.tif 000002
【特許請求の範囲】
【請求項１】
持続的に微量の薬液を注入しながら追加で充填されている薬液を供給してくれる薬液供給装置において、
前記薬液供給装置は、シリンダー内側に流入される薬液によってピストンが上昇しながら押しホタンの下端と密着されて停止することで定量の薬液をシリンダー内側に充填するようにする定量充填部４３と、
前記押しホタンが下方向の移動が係止されている状態で上昇するピストンと押しホタンがお互いに密着されているようになれば、前記押しホタンの係止が解除されながら押しホタンとピストンが共に下方向に下るようにする制動ボタン部５３と、
前記制動ボタン部によってシリンダーの外に排出された定量の薬液を収容しながら膨張された弾性チューブが元の状態に復元されようとする力によって内側に収容されている薬液を持続的に押し出して外部に排出しようとする持続注入部６４とを、含んでなされることを特徴とする充填された定量の薬液を持続的に注入する薬液注入装置。
【請求項２】
前記定量充填部４３は一側には充填口４０ａと排出口４０ｂが形成されていて他側には収容空間４０ｃが形成されているシリンダー４０と、
下部はシリンダー４０の収容空間内側に挿入されていて他側には差込空間４１ｂが形成されているし、わくには突出顎４１ｃが形成されているピストン４１と、
前記ピストン４１の差込空間に内入されている弾性体と、
前記弾性体の上でわくに支え顎５２ａが形成されている押しホタン５２を含んでなされて、
シリンダー４０内側に流入された薬液によってピストン４１が上昇しながら突出顎４１ｃと押しホタン５２の支え顎５２ａがお互いに密着されて決まった位置に停止するようになりながらシリンダー４０内側に定量の薬液を充填するようになっていることを特徴とする請求項１に記載の充填された定量の薬液を持続的に注入する薬液注入装置。
【請求項３】
制動ボタン部５３は内側方向に係止片５１ａが形成されているリング形状の係止枠５１と、
前記係止枠５１が安着される係止溝５０と、ガイドロード５４が形成されているケース３０ａ、３０ｂと、
を含んでなされて、
前記係止枠５１内側にピストン４１が挿入されている状態でケース内側に装着されて、前記ピストン４１が上昇すれば、突出顎４１ｃによって係止枠５１の係止片５１ａが外側方向に離れてオープンされながら係止片５１ａ上に装着されている押しホタン５２の支え顎５２ｃとピストンの突出顎４１ｃが密着されながら、
前記シリンダー４０が定量の薬液を充填している時のみに密着されている押しホタン５２とピストン４１が下方向に押されて、定量の薬液をシリンダーの外に排出することを特徴とする請求項２に記載の充填された定量の薬液を持続的に注入する薬液注入装置。
【請求項４】
前記持続注入部６４は、一側が前記シリンダー４０の排出口４０ｂに装着される内入溝６０ａと該内入溝６０ａを側方向に貫通する内入口６０ｂが形成されているコネクター６０と、
ケースの流出口３２に装着される連結管６１と、
前記コネクター６０と連結管との間に固定設置されている弾性チューブ６２と、
を含んでなされて、
シリンダー４０の排出口４０ｂ外に出た定量の薬液がコネクター６０の内入口６０ｂを通じて弾性チューブ６２内側に収容されて、前記弾性チューブ６２がシリンダーの外に出た定量の薬液を収容しながら膨張された弾性チューブ６２が収縮しようとする力によって微量の薬液を連結管６１外に持続的に出すようになっていることを特徴とする請求項１に記載の充填された定量の薬液を持続的に注入する薬液注入装置。
【請求項５】
前記コネクター６０の他側には縦方向に切開された一対の結合片６０ｃが見合わせる形状で形成されており、前記結合片６０ｃの末端には結合顎６０ｄが形成されているし、前記結合片６０ｃは連結管６１内側へ差込されて結合溝６１ａに係止固定されているようになりながら、
前記弾性チューブ６２が結合片６０ｃを中心に収縮または膨脹しながら、弾性チューブ内側に収容されている薬液が一対の結合片６０ｃの間の切開された部位６０ｅを通じて連結管６１外に排出されながら患者に注入されることを特徴とする請求項４に記載の充填された定量の薬液を持続的に注入する薬液注入装置。
【請求項６】
前記弾性チューブ６２の内側には固定チューブが設置されており、前記固定チューブはコネクター６０の内入口６０ｂを囲んだ状態で固定設置されており、
内入口６０ｂ外に押され出た薬液が固定チューブの外に出て弾性チューブ６２内側のみに収容されているようにしたことを特徴とする請求項４または５に記載の充填された定量の薬液を持続的に注入する薬液注入装置。
【請求項７】
前記係止枠５１は係止片５１ａ下端を切開して上部に位置した係止片５１ａが容易に弾指されるようになっていることを特徴とする請求項３に記載の充填された定量の薬液を持続的に注入する薬液注入装置。
【発明の詳細な説明】
【技術分野】
【０００１】
本発明は、充填された薬液を患者に追加で供給してくれる薬液注入装置に関するものであり、より詳しく説明すれば、定量の薬液を充填した状態のみで注入されるようにして、この時に注入された定量の薬液が持続的に患者に供給されるようにする薬液注入器に関するものである。
【背景技術】
【０００２】
一般に、患者が手術を受けるようになれば、手術部位に痛症が後に追うようになる。この時手術の種類及び手術部位によって患者らが感じる痛症の程度がお互いに違って、特に、同じ手術を実施しても患者ひとりひとりの特性によって感じられる苦痛の程度もお互いに異なる。
【０００３】
したがって、患者の痛症を緩和させてくれるために鎮痛剤を持続的に注入してくれる薬液供給装置（特許文献１）と共に、患者が苦痛を訴える場合追加で鎮痛剤をさらに投与することができる薬液注入装置（ＰＣＡ：Ｐａｔｉｅｎｔ  Ｃｏｎｔｒｏｌｌｅｄ  Ａｎａｌｇｅｓｉａ）が必要なものである（特許文献２）。すなわち、従来の薬液注入装置は、薬液供給器とカテーテルとの間に設置して、前記薬液供給器が持続的にカテーテル側に薬液を出す時、中間で供給される薬液をキャッチ（ｃａｔｃｈ）して充填し、これを必要な時度に追加でさらに出してくれることで、患者の痛症を緩和させてくれる薬液注入装置が開発されるようになったものである。
【０００４】
しかし、この時前記薬液注入装置と連結されているカテーテルは、患者の静脈路または硬膜外腔に挿入されて、薬液を患者の身に注入するが、
通常に前記カテーテルの口径は、２ｍｍ程度で細くて長いために注入される薬液の量が少なくなり、その速度も遅くならざるをえない。
【０００５】
したがって、薬液の注入速度が遅いために中間に薬液をキャッチして充填する薬液注入装置の再充填時間も長くならざるをえず、
特に、これにより薬液注入装置のボタンを押して充填されている薬液を追加でさらに投入しようとしても投入される薬液の量が一定でなくてどの程度の多い量の薬液が患者の身に注入されたのか確認し難かった問題点があったものである。
【０００６】
すなわち、充填が完了しない状態での薬液が繰り返し的に患者の身に注入されるようになりながら、麻薬類の鎮痛剤に該当する薬液がどのくらい患者の身に注入されたのか確認されなかったものである。
【先行技術文献】
【特許文献】
【０００７】
【特許文献１】韓国登録特許第１０−０５１９２４７号公報
【特許文献２】韓国登録特許第１０−０９１９６５１号公報
【発明の概要】
【発明が解決しようとする課題】
【０００８】
これに本発明では、自動で薬液を充填しながら定量の薬液だけが患者の身に注入されるようにして、併せて注入された定量の薬液が持続的に患者の身に供給されて安全に使用できるようにしようとするものである。
【課題を解決するための手段】
【０００９】
このために本発明は、持続的に微量の薬液を注入してくれながら追加に充填されている薬液を患者に供給してくれる薬液供給装置において、
前記薬液供給装置は、シリンダー内側へ流入される薬液によってピストンが決まった高さ程度に上昇しながら定量の薬液を充填しているようにする定量充填部と、
前記ピストンの上で下方向に係止されているボタンを設置して、前記ボタンが上昇するピストンと密着されている時のみに下方向に押されながらシリンダー内側に充填されている定量の薬液を排出する制動ボタン部と、
前記制動ボタン部によって排出された定量の薬液を収容しながら膨張された弾性チューブが元の状態に復元されようとする力によって定量の薬液を持続的に外部に排出しようとする持続注入部を含んでなされることを特徴とするものである。
【発明の効果】
【００１０】
本発明は、自動で薬液を充填しながら定量の薬液を充填して、この時排出された定量の薬液を含んでいながら持続的に少しずつ患者の身に注入して安全に使用できるようにしたものである。
【図面の簡単な説明】
【００１１】
【図１】本発明の実施例による薬液注入装置の使用状態図である。
【図２】本発明の実施例による薬液注入装置の斜視図である。
【図３】本発明の実施例による薬液注入装置の分解斜視図である。
【図４】本発明の実施例による薬液注入装置の作動状態図である。
【図５】本発明の実施例による薬液注入装置の制動ボタン部の斜視図である。
【図６】本発明の実施例による薬液注入装置の制動ボタン部の分解斜視図である。
【図７】本発明の実施例による薬液注入装置の制動ボタン部の作動状態図である。
【図８】本発明の実施例による薬液注入装置の持続注入部の斜視図である。
【図９】本発明の実施例による薬液注入装置の持続注入部の分解斜視図である。
【図１０】本発明の実施例による薬液注入装置の持続注入部の作動状態図である。
【発明を実施するための形態】
【００１２】
以下、本発明を実施するための具体的な内容は添付された図面を参照して詳しく説明することにする。
【００１３】
先ず図１は、本発明の実施例による薬液注入装置と薬液供給器と注入ホース２０の連結状態を見せてくれるものであり、図２は本発明の実施例による薬液注入装置の様子を見せてくれる斜視図であり、図３は本発明の実施例による薬液注入装置の分解斜視図である。
【００１４】
図示されたように、本発明は薬液を収容している薬液供給器１０と、該薬液供給器１０が送った薬液を患者の身に注入する注入ホース２０と、前記薬液供給器１０が注入ホース２０側に薬液を供給する時、中間で注入ホース２０側に送られる薬液を一部キャッチして充填する薬液注入装置３０を含んでなされる。
【００１５】
この時薬液注入装置３０は、一側から他側に長く形成されており、一対のケース３０ａ、３０ｂがお互いに組立されながら、一側には前記薬液供給器１０のホースと連結されて流入口３１と共に前記注入ホース２０と連結される流出口３２を形成して、他側末端には押しホタン５２を設置して、前記押しホタン５２が押されるようになれば、平常時薬液供給器が供給している薬液外に薬液注入装置内側に充填されている薬液を追加でさらに患者に供給してくれるものである。
【００１６】
この時薬液注入装置３０は、一定な量の薬液を充填している定量充填部４３と、該定量充填部４３が充填している薬液を排出する制動ボタン部５３と、該制動ボタン部５３によって排出された薬液を収容していながら持続的に少しずつ注入ホース２０側に送り出す持続注入部６４を含んでなされて、
定量の薬液を充填している時のみに排出がなされて、この時排出された薬液が少しずつ持続的に患者の身に注入されるようになっている。
【００１７】
参照で図４は、本発明の実施例よって薬液注入装置が充填される過程と排出される過程を見せてくれるものであり、
これを参照して説明すれば、ケース先端に形成されている流入口３１と流出口３２にそれぞれＹ字形の分岐管３３と連結管６１を設置して、前記分岐管３３の一側管３３ａには連結ホース３４でシリンダー４０の充填口４０ａと連結して、前記充填口４０ａと分岐管３３との間には一方向のみに薬液が流れるように逆流防止フィルター３４ａを設置する。
【００１８】
また、流入口３１の連結管６１には弾性チューブ６２を利用してシリンダー４０のコネクター６０と連結して、前記連結管６１の突出管６１ｂには分岐管３３の他側管３３ｂとまた他の連結ホース３５で連結して、
平常時に流入口３１を通じて内側へ薬液が流入されてシリンダー４０が定量の薬液を充填していれば、流入口３１を通じて入って来た薬液全部が分岐管３３を通じて連結管６１側に流れて患者の身に投入されるようにする。
【００１９】
そして、仮にシリンダー４０に薬液が充填されていなければ、流入口３１を通じて受け入れた薬液の一部、あるいは全部がシリンダー４０側に流れて内側収容空間４０ｃ内側に充填される。この時、ピストン４１はシリンダー４０内側へ流入された薬液によって上昇し始める。併せて、前記ピストン４１が決まった高さまで上昇するようになれば定量の薬液を充填するようになるものである。
【００２０】
参照で図５は、本発明の実施例による制動ボタン部とピストンの姿を見せてくれる斜視図であり、図６は前記図５の分解斜視図であり、図７はピストンと制動ボタン部の動作過程を見せてくれる流れ図である。
【００２１】
これを参照して説明すれば、定量充填部はピストン４１がケース上端に設置されている押しホタン５２の下端まで上昇して密着されながら決まった高さまで上がって停止するようになりながらシリンダー内側に定量の薬液を充填するようになる。
【００２２】
そして、この時ピストン４１と密着されている押しホタン５２を押してくれるようになれば、シリンダー４０内側に充填されている定量の薬液が排出されるものである。
【００２３】
参照で、前記ピストン４１は、下端に凸部４１ａが形成されており、前記凸部４１ａにはパッキング４２が挟まれてシリンダー４０の内壁と密着されているし、前記ピストン４１の上部には差込空間４１ｂを形成しているし、前記差込空間４１ｂの内側には押しホタン５２の下端が挿入される。この時前記ピストン４１の上部わくには突出顎４１ｃが形成されている。
【００２４】
そして、このようなピストン４１とシリンダー４０が内蔵されているケース３０ａ、３０ｂには係止溝５０が形成されており、前記係止溝５０にはリング形状でなされた環形の係止枠５１が安着されている。
【００２５】
この時の係止枠５１は、上部に内側方向に傾くように突出されて一対の係止片５１ａが形成されており、前記係止枠５１内側ではピストン４１が挟まれている。
【００２６】
したがって、前記ピストン４１がシリンダー４０内側に充填されている薬液によって上昇するようになれば、ピストン４１の突出顎４１ｃが外側に位置した係止枠５１の係止片５１ａを外側に押し抜いて前記係止片５１ａが弾指されながらオープンされるようにするものである。
【００２７】
そして、このようなピストン４１の上部には、下端に支え顎５２ａが形成されている押しホタン５２が設置されて、このような押しホタン５２の下部はピストン４１の差込空間４１ｂに内入されているし、それと共に外側に形成されている支え顎５２ａが係止片５１ａによって差されて係止されている状態で設置されるようになる。この時、差込空間４１ｂ内側には弾性体が挟まれて下方向に下った押しホタン５２を元の状態で復帰させてくれる。
【００２８】
したがって、定量充填部４３が決まった薬液をすべて充填してピストン４１が押しホタン５２と密着されている時にはピストン４１外側に形成されている突出顎４１ｃが係止片５１ａを弾指させてオープンされながら押しホタン５２の支え顎と密着される。
【００２９】
したがって、前記定量充填部４３が決まった量程度の薬液を充填していない時には前記押しホタン５２の支え顎５２ａが係止片５１ａによって支えられて、押しホタンが下方向に移動が制限された状態に置かれるようになって、
反対に、前記定量充填部４３が決まった量程度充填して前記ピストン４１の突出顎４１ｃが外側にある係止片５１ａを弾指させてオープンしてくれるようになれば、突出顎と押しホタン５２の支え顎５２ａがお互いに密着されている状態に置かれるようになる。この時、押しホタンを押してくれるようになれば、係止片がオープンされているために支え顎と突出顎がお互いに密着されている状態でガイドロード５４に沿って下ってシリンダー内側に収容されている定量の薬液を排出してくれるものである。
【００３０】
参照で、前記係止枠５１は、実施例によって係止片５１ａの下部を切開して容易にピストンによって弾指されながら離れるか、あるいは閉まられるようにすることもできるものである。
【００３１】
そして、このような定量充填部４３と制動ボタン部５３によって充填されている定量の薬液が排出されるようになれば、前記薬液は排出口４０ｂを通じてシリンダー４０外に送り出されるようになる。
【００３２】
参照で図８は、本発明の実施例によって排出口４０ｂに流出口３２の間に装着される持続注入部６４の様子を見せてくれるものであり、図９は前記持続注入部６４の分解された様子を見せてくれるものであり、図１０は持続注入部の動作過程を見せてくれる流れ図である。
【００３３】
これを参照して説明すれば、前記持続注入部６４はシリンダー４０の外に送り出された薬液は、弾性チューブ６２が膨脹しながら定量の薬液を収容しているようになる。
【００３４】
この時、弾性チューブ６２が含んでいる薬液は、前記弾性チューブ６２が源状態に復帰されようとする収縮力によって内側に収容されている薬液を持続的に流出口３２外に送り出して患者の身に注入されるようにする。
【００３５】
この時、コネクター６０は、一側はシリンダー４０の排出口４０ｂに挟まれて固定され、他側は連結管６１内側に挟まれて固定されているし、前記コネクター６０の一側には内入溝６０ａが形成されているし、前記内入溝６０ａには側方向で前記内入溝６０ａを貫通する注入口が形成されている。そして、このような注入口の上側では弾性チューブ６２の一側端が挟まれて固定されている。
【００３６】
したがって、シリンダー４０の排出口４０ｂ外に出た定量の薬液がコネクター６０の内入口６０ｂを通じて弾性チューブ６２内側に収容されるようになって、この時弾性チューブ６２は膨脹しながらシリンダー４０外に出た定量の薬液を含んでいるようになる。
【００３７】
そして、この時前記コネクター６０の他側端には中を中心に縦長方向に切開して一対の結合片６０ｃを形成して、前記結合片６０ｃの末端には結合顎６０ｄを形成して、
前記結合片６０ｃが連結管６１内側へ差込された時、前記結合顎６０ｄが連結管６１の結合溝６１ａの内側へ位置されて係止された状態で連結されているようになる。
【００３８】
したがって、前記コネクター６０と連結管６１が連結されるようになりながら外側に装着されている弾性チューブ６２が結合片を中心に一方向だけで膨脹するか、または収縮しながら弾性チューブの復元力を最大化しながら該当弾性チューブが曲がるかまたは曲がらない状態で薬液を収容しているようになっている。そして、前記弾性チューブ６２が源状態で復帰しようとする力によって内側に収容されている薬液が結合片６０ｃの間の切開された部位６０ｅを通じて連結管６１内側へ内入されながら流出口３２外に持続的に定量の薬液を少しずつ出すようになるものである。
【００３９】
この時、弾性チューブ６２はシリンダー４０が充填されている量より多い量の薬液を収容していることもできるが、本発明では弾性チューブ６２が膨脹する空間をシリンダー４０の面積と等しく形成して１回定量の薬液のみを収容しているようにする。
【００４０】
併せて、前記弾性チューブ６２は内側では実施例によって弾性力ある固定チューブ６３が設置されてあり得る。すなわち、前記固定チューブ６３はコネクター６０の注入口を囲んだ状態で設置されており、前記固定チューブ６３上に弾性チューブ６２が固定設置されて、シリンダー４０内側に収容されている薬液が排出されるようになれば注入口の外に押され出た薬液が弾性チューブ６２内側に収容されるようにする。そして、この時注入口の外に押され出る薬液がなければ前記固定チューブが収縮しながら注入口を塞いでくれるものである。
【００４１】
そして、この時膨張されている弾性チューブ６２が薬液を押し出す時、前記固定チューブ６３によって注入口内側へ薬液が戻らないようにしてくれることで、中間に位置した弾性チューブだけが薬液を含んでいながら外部に出してくれるものである。
【００４２】
したがって、本発明は押しホタン５２を押す時に充填が完了している時のみに１回定量の薬液が排出されるようになって、この時排出された定量の薬液は弾性チューブ６２が含んでいながら元の状態で復帰しようとする力によって微量の薬液を持続的に患者の身側へ出して安全に使用することができるようになるものである。
【符号の説明】
【００４３】
１０  薬液供給器                １１  ホース
２０  注入ホース                ３０  薬液注入装置
３０ａ、３０ｂ  ケース
３１  流入口                    ３２  流出口
３３  分岐管                    ３３  一側管
３３ｂ  他側管                  ３４  連結ホース
３４ａ  逆流防止フィルター        ３５  また他の連結ホース
４０  シリンダー                ４０ａ  充填口
４０ｂ  排出口                  ４０ｃ  収容空間
４１  ピストン                  ４１ａ  凸部
４１ｂ  差込空間                ４１ｃ  突出顎
４２  パッキング                ４３  定量充填部
５０  係止溝                    ５１  係止枠
５１ａ  係止片                  ５２  ボタン
５２ａ  支え顎                    ５３  ボタン制動部
５４  ガイドロード
６０  コネクター                  ６０ａ  内入溝
６０ｂ  内入口                    ６０ｃ  結合片
６０ｄ  結合顎                    ６０ｅ  切開された部位
６１  連結管                      ６１ａ  結合溝
６１ｂ  突出管                    ６２  弾性チューブ
６３  固定チューブ                ６４  持続注入部
【図１】
2017077449.tif 000003
【図２】
2017077449.tif 000004
【図３】
2017077449.tif 000005
【図４】
2017077449.tif 000006
【図５】
2017077449.tif 000007
【図６】
2017077449.tif 000008
【図７】
2017077449.tif 000009
【図８】
2017077449.tif 000010
【図９】
2017077449.tif 000011
【図１０】
2017077449.tif 000012